(57)【要約】【課題】本発明は、熱交換機の隙間を覆うカバー部材を容易に設けることができ、カバー部材が熱交換機から脱落する現象を防止可能な空気調和機を提供するためのものである。【解決手段】本発明の空気調和機は、空気の熱交換のために本体内に設けられた送風ファンと熱交換ユニットを含み、熱交換ユニットは送風ファンの周りに配置される第１熱交換機及び第２熱交換機と、第１及び第２熱交換機の間の隙間を覆うカバー部材を含み、カバー部材は両熱交換機の間の隙間を覆うカバー部と、カバー部から延びて弾性変形により第１熱交換機に掛かる第１係止部と、カバー部から延びて弾性変形により第２熱交換機に掛かる第２係止部とを含む。【選択図】図４
2008070102.tif 000002
【特許請求の範囲】
【請求項１】
本体と、空気の熱交換のために前記本体内に設けられた送風ファンと熱交換ユニットとを含む空気調和機であって、
前記熱交換ユニットは、前記送風ファンの周りに配置される第１熱交換機及び第２熱交換機と、前記第１及び第２熱交換機の間の隙間を覆うカバー部材とを含み、
前記カバー部材は、前記両熱交換機の間の隙間を覆うカバー部と、前記カバー部から延びて弾性変形により前記第１熱交換機に掛かる第１係止部と、前記カバー部から延在し弾性変形により前記第２熱交換機に掛かる第２係止部と、
を含むことを特徴とする空気調和機。
【請求項２】
前記第１係止部及び前記第２係止部は、弾性変形される‘Ｖ’型折曲部を各々含むことを特徴とする請求項１に記載の空気調和機。
【請求項３】
前記カバー部材は、前記第１熱交換機及び前記第２熱交換機の横方向長さに対応する長さを備えることを特徴とする請求項２に記載の空気調和機。
【請求項４】
前記熱交換機ユニットは、前記第１熱交換機及び前記第２熱交換機を連結するために前記第１熱交換機及び前記第２熱交換機の両端に各々結合される第１連結部材及び第２連結部材を更に含み、
前記第１連結部材は前記カバー部の一端を結束する第１係止突起を備え、前記第２連結部材は前記カバー部の他端を塑性変形により結束する第２係止突起を備えることを特徴とする請求項１に記載の空気調和機。
【請求項５】
前記カバー部材は、カバー部、第１係止部、及び第２係止部が一体に形成されていることを特徴とする請求項１に記載の空気調和機。
【発明の詳細な説明】
【技術分野】
【０００１】
本発明は、空気調和機に関する。より詳しくは、本発明は、熱交換機の隙間を覆うカバー部材を容易に装着可能とされる空気調和機に関する。
【背景技術】
【０００２】
特許文献１に開示された空気調和機は、図１に示すように、空気の送風のために本体１の内部に設けられた送風ファン２と、送風ファン２の前方と上部を囲む形態で設けられた熱交換機３とを備えている。
【０００３】
熱交換機３は、送風ファン２の前方に配置された前方熱交換機３ａと、送風ファン２の上側後方に配置された後方熱交換機３ｂとを含む。前方熱交換機３ａと後方熱交換機３ｂは上段が相互近接するように配置されており、両熱交換機３ａ、３ｂの上部には両熱交換機３ａ、３ｂの間の隙間を覆うカバー部材４（原文には“スペーサ”と表現される）が設けられている。カバー部材４は両熱交換機３ａ、３ｂの間の隙間を覆うことによって、吸入空気が隙間を通じて熱交換なしに流れることを防止する。
【０００４】
しかしながら、このような空気調和機は、前方及び後方熱交換機３ａ、３ｂの上部にカバー部材４を設ける際、固定ねじ（図示していない）などを締結してカバー部材４を固定しなければならないので、カバー部材４の設置工程が複雑であった。
【特許文献１】特開平１０−２２７４７０号公報
【発明の開示】
【発明が解決しようとする課題】
【０００５】
本発明は、このような問題点を解決するためのものであって、本発明の目的は、熱交換機の隙間を覆うカバー部材を容易に設置可能な空気調和機を提供することにある。
【０００６】
本発明の他の目的は、カバー部材が容易に装着でき、かつ、装着後にカバー部材が熱交換機から脱落する現象を防止可能な空気調和機を提供することにある。
【課題を解決するための手段】
【０００７】
このような目的を達成するために、本発明に係る空気調和機は、本体と、空気の熱交換のために前記本体内に設けられた送風ファンと熱交換ユニットを含む空気調和機であって、前記熱交換ユニットは、前記送風ファンの周りに配置される第１熱交換機及び第２熱交換機と、前記第１及び第２熱交換機の間の隙間を覆うカバー部材とを含み、前記カバー部材は、前記両熱交換機の間の隙間を覆うカバー部と、前記カバー部から延在し弾性変形により前記第１熱交換機に掛かる第１係止部と、前記カバー部から延在し弾性変形により前記第２熱交換機に掛かる第２係止部とを含むことを特徴とする。
【０００８】
また、前記第１及び第２係止部は、それぞれ弾性変形される‘Ｖ’型折曲部を含むことを特徴とする。
【０００９】
また、前記カバー部材は、前記第１及び第２熱交換機の横方向長さに対応する長さを備えることを特徴とする。
【００１０】
また、前記熱交換機ユニットは、前記第１及び第２熱交換機の連結のために前記第１及び第２熱交換機の両端に各々結合される第１及び第２連結部材を更に含み、前記第１連結部材は前記カバー部の一端を結束する第１係止突起を備え、前記第２連結部材は前記カバー部の他端を塑性変形により結束する第２係止突起を備えることを特徴とする。
【００１１】
また、前記カバー部材は、カバー部、第１係止部、第２係止部が一体で形成されたことを特徴とする。
【発明の効果】
【００１２】
以上、詳細に説明したように、本発明に係る空気調和機は、カバー部材を設ける際、固定ねじなどを締結する必要が無く、単にカバー部材を上部から加圧する動作だけで装着可能であるので、カバー部材を従来の空気調和機よりも容易に設置可能であるという効果を有する。
【００１３】
また、本発明は、カバー部材を装着する際に、第１及び第２係止部の‘Ｖ’型折曲部が弾性変形された状態で第１及び第２熱交換機の端部に掛かるので、カバー部材の脱落を防止できるという効果を有する。
【００１４】
また、本発明は、第１連結部材に形成された第１係止突起と第２連結部材に形成された第２係止突起とを用いてカバー部材の両端が結束されるので、カバー部材を強固に結束できるという効果を有する。
【発明を実施するための最良の形態】
【００１５】
以下、本発明に係る好ましい実施例を添付した図面を参照しつつ詳細に説明する。
【００１６】
本発明に係る空気調和機は、図２に示すように、後面が建物の壁面に固定される本体１０を備える。本体１０の前面と上面には室内空気の吸入のための前面吸入口１１と上面吸入口１２が各々形成され、本体１０の下部には本体１０の内部を経由した空気が室内に吐出される吐出口１３が形成される。
【００１７】
本体１０の内部には、略中央部に送風ファン１４が設けられ、送風ファン１４の上側の周りを囲む形態で熱交換ユニット２０が設けられる。送風ファン１４は横方向に長い横流ファンで構成される。図示してはいないが、送風ファンの回転軸が本体１０の内部の両側に各々回転可能に支持され、送風ファン１４は駆動モータの動作により回転する。
【００１８】
熱交換ユニット２０は、前面吸入口１１に近接するように配置された第１熱交換機２１と、上面吸入口１２と近接するように送風ファン１４の上側の後方に配置された第２熱交換機２２を含む。
【００１９】
第１熱交換機２１は、上段が第２熱交換機２２の上段と近接するように上部が後方に屈折した形態である。このために、第１熱交換機２１は中央部分に屈折部２１ａを備える。第１熱交換機２１の下部には第１熱交換機２１から流れる凝縮水の排水のための第１排水トレイ２３が設けられる。第１排水トレイ２３は空気を吐出口１３に案内するスタビライザ２４と一体で形成される。第２熱交換機２２は、その上段が第１熱交換機２１の上段と近接する形態で傾斜して設けられる。第２熱交換機２２の下部にも凝縮水の排水のための第２排水トレイ２５が設けられる。
【００２０】
従って、本発明の空気調和機は、送風ファン１４が動作する際に、前面及び上面吸入口１１、１２を介して吸入される空気が第１及び第２熱交換機２１、２２を通過しながら熱交換された後、吐出口１３を介して室内空間に供給されることができる。また、各熱交換機２１、２２から流れる凝縮水は、第１及び第２排水トレイ２３、２５を介して排水できる。
【００２１】
また、熱交換ユニット２０は、図３に示すように、第１及び第２熱交換機２１、２２を相互に連結し、これらの熱交換機２１、２２を本体１０内に固定するための第１連結部材２６及び第２連結部材２７を備える。そして、両熱交換機２１、２２の上段の間の隙間２８に空気が流れることを遮断するために、両熱交換機２１，２２上段の間の隙間２８を覆うカバー部材３０を含む。
【００２２】
第１連結部材２６は、両熱交換機２１、２２の一側端部形状と対応する形状で設けられる。さらに、第１連結部材は、両熱交換機２１、２２の側端に固定されることによって、両熱交換機２１、２２を連結する。また、第１連結部材２６が本体１０の内面に固定されることによって、両熱交換機２１、２２は本体１０内に強固に固定される。このような第１連結部材２６は樹脂材で成形される。
【００２３】
第２連結部材２７は両熱交換機２１、２２の反対側の側端に設けられ、塑性変形可能な鋼板で設けられる。第２連結部材２７は、第１及び第２熱交換機２１、２２の側端に固定されることによって、両熱交換機２１、２２を連結した状態で本体１０に固定される。さらに、第２連結部材は、第２熱交換機２２側のみに結合されて第２熱交換機２２のみ本体１０に固定できるようにすることができる。第２連結部材２７が第２熱交換機２２のみを固定する場合には、第１熱交換機２１は別途の固定手段（図示していない）により本体１０に固定される。図３に図示した第２連結部材２７は、第２熱交換機２２のみを固定する場合のみを示したものであるが、このような第２連結部材２７は機器の設計によって多様な形態に変更することができる。
【００２４】
カバー部材３０は、図３と図４に示すように、両熱交換機２１、２２の間の隙間２８を覆うカバー部３１、カバー部３１の一側から下方に延びて第１熱交換機の端部に掛かる第１係止部３２、及びカバー部３１の他側から下方に延びて第２熱交換機２２の端部に掛かる第２係止部３３を含む。
【００２５】
カバー部３１は第１及び第２熱交換機２１、２２の横方向長さと対応する長さを備え、第１及び第２熱交換機２１、２２の間の隙間より大きい幅を備える。従って、カバー部３１は両熱交換機２１、２２の間の隙間２８を覆って空気の流通を遮断することができる。
【００２６】
第１係止部３２はカバー部３１の一側から下方に延び、下段に弾性変形可能な‘Ｖ’型折曲部３４を備える。この‘Ｖ’型折曲部３４は、自由端が第１熱交換機２１の端部に掛かることができるように第１熱交換機２１に向かう。第２係止部３３はカバー部３１の他側から下方に延び、下段に弾性変形可能な‘Ｖ’型折曲部３５を備える。第２係止部３３の‘Ｖ’型折曲部３５は、第２熱交換機２２の端部に掛かることができるように自由端が第２熱交換機２２に向かう。このようなカバー部材３０は、樹脂材の射出成型又は金属板材の折曲成型によりカバー部３１、第１係止部３２、第２係止部３３が一体で形成されることが好ましい。
【００２７】
このようなカバー部材３０を第１及び第２熱交換機２１、２２の上部に装着する場合には、図４に示すように、カバー部材３０を両熱交換機２１、２２の間の隙間２８の上部に位置させた状態で下方に押さえる。このようにすることで、第１及び第２係止部３２、３３の‘Ｖ’型折曲部３４、３５が弾性変形された状態で両熱交換機２１、２２の間の隙間２８に進入する。この進入が完了した後には、両側の‘Ｖ’型折曲部３４、３５が再び弾性により復元され、第１及び第２熱交換機２１、２２の端部に掛かる。従って、カバー部材３０の装着が完了した後には、第１及び第２係止部３２、３３の‘Ｖ’型折曲部３４、３５による掛かりが維持されるので、カバー部材３０の脱落が防止される。このように、本発明のカバー部材３０は固定ねじなどで締結しなくても、単に上部から下方に加圧する動作のみによりカバー部材３０を両熱交換器に装着できるので、従来のカバー部材よりも容易に装着可能である。
【００２８】
また、図５に示すように、本発明の熱交換ユニット２０は、第１連結部材２６に形成された第１係止突起４１と、第２連結部材２７に形成された第２係止突起４２とを含む。これらの係止突起４１、４２がカバー部材３０の両端を結束されることによって、カバー部材３０が両熱交換機２１、２２の上部に一層強固に固定される。
【００２９】
図６に示すように、第１係止突起４１は、第１連結部材２６の内面から第２連結部材２７方向に突出する。第１係止突起４１は、第１連結部材２６と一体に形成される。図７に示すように、第２係止突起４２は、第２連結部材２７の上段から上方に延びた形態であり、塑性変形のための折曲溝４２ａを備える。
【００３０】
従って、図６に示すように、カバー部材３０を装着する場合には、まずカバー部材３０の第１係止突起４１側の端部を下方に加圧して両熱交換機２１、２２の間に進入させた後に、第１係止突起４１方向に若干押すようにする。このようにすれば、カバー部３１の上面が第１係止突起４１に寄り掛かる。この状態のまま、カバー部材３０の反対側を下方に加圧してカバー部材３０が完全に装着されるようにする。そして、最後に、図７に示すように、第２係止突起４２を折曲げて、カバー部の上面が第２係止突起４２に掛かるようにする。
【図面の簡単な説明】
【００３１】
【図１】従来の空気調和機の構成を示す断面図である。
【図２】本発明に係る空気調和機の構成を示す断面図である。
【図３】本発明に係る空気調和機の熱交換ユニットの分解斜視図である。
【図４】本発明に係る空気調和機のカバー部材を示す断面図である。
【図５】本発明に係る空気調和機の熱交換ユニットの組立斜視図である。
【図６】図５のＡ部の詳細図である。
【図７】図５のＢ部の詳細図である。
【符号の説明】
【００３２】
１０  本体
１１  前面吸入口
１２  上面吸入口
１３  吐出口
１４  送風ファン
２０  熱交換ユニット
２１  第１熱交換機
２２  第２熱交換機
２６  第１連結部材
２７  第２連結部材
３０  カバー部材
３１  カバー部
３２  第１係止部
３３  第２係止部
４１  第１係止突起
４２  第２係止突起
【図１】
2008070102.tif 000003
【図２】
2008070102.tif 000004
【図３】
2008070102.tif 000005
【図４】
2008070102.tif 000006
【図５】
2008070102.tif 000007
【図６】
2008070102.tif 000008
【図７】
2008070102.tif 000009